【手続補正書】
【提出日】平成15年11月17日(2003.11.17)
【手続補正１】
【補正対象書類名】明細書
【補正対象項目名】特許請求の範囲
【補正方法】変更
【補正の内容】
【特許請求の範囲】
【請求項１】
携帯可能に形成された筐体と、
この筐体に設けられ、記録媒体を投入する投入部および記録媒体を受取る受取部と、
前記筐体内に設けられ、前記投入部に投入された記録媒体を取込んで前記受取部まで搬送する搬送手段と、
この搬送手段に設けられ、搬送される記録媒体からそれに記録されている改札情報を読取る読取手段と、
前記筐体内に設けられ、前記読取手段で読取られた改札情報に基づき前記取込んだ記録媒体の有効性を判定する判定手段と、
を具備したことを特徴とする携帯可能な改札処理機。
【請求項２】
携帯可能に形成された筐体と、
この筐体に設けられ、記録媒体を投入する投入部および記録媒体を受取る受取部と、
前記筐体内に設けられ、前記投入部に投入された記録媒体を取込んで前記受取部まで搬送する搬送手段と、
この搬送手段に設けられ、搬送される記録媒体からそれに記録されている改札情報を読取る読取手段と、
前記筐体内に設けられ、少なくとも前記記録媒体の有効性を判定するための判定処理用プログラムを記憶している記憶内容が書換え可能な記憶手段と、
前記筐体内に設けられ、前記記憶手段内の判定処理用プログラムに基づき動作し、前記読取手段で読取られた改札情報に基づき前記取込んだ記録媒体の有効性を判定する判定手段と、
前記筐体内に設けられ、前記各手段に対して動作電源を供給する電源部と、
この電源部を電源供給源に対して接続するための接続手段と、
前記筐体内に設けられ、前記接続手段が前記電源供給源から切離されると、前記記憶手段の記憶内容を正規の状態とは異なる状態に書換える制御手段と、
を具備したことを特徴とする携帯可能な改札処理機。
【請求項３】
携帯可能に形成された筐体と、
この筐体に設けられ、記録媒体を投入する投入部および記録媒体を受取る受取部と、
前記筐体内に設けられ、前記投入部に投入された記録媒体を取込んで前記受取部まで搬送する搬送手段と、
この搬送手段に設けられ、搬送される記録媒体からそれに記録されている改札情報を読取る読取手段と、
前記筐体内に設けられ、少なくとも前記記録媒体の有効性を判定するための判定処理用プログラムを記憶している記憶内容が書換え可能な記憶手段と、
前記筐体内に設けられ、前記記憶手段内の判定処理用プログラムに基づき動作し、前記読取手段で読取られた改札情報に基づき前記取込んだ記録媒体の有効性を判定する判定手段と、
前記筐体内に設けられ、前記各手段に対して動作電源を供給する電源部と、
この電源部を電源供給源に対して接続するための接続手段と、
前記筐体内に設けられ、前記接続手段が前記電源供給源から切離されると、前記記憶手段の記憶内容を正規の状態とは異なる状態に書換える制御手段と、
前記筐体内に設けられ、前記制御手段による記憶手段の記憶内容の書換え時、前記制御手段に対して動作電源を供給する電池と、
を具備したことを特徴とする携帯可能な改札処理機。
【請求項４】
携帯可能に形成された筐体と、
この筐体に設けられ、記録媒体を投入する投入部および記録媒体を受取る受取部と、
前記筐体内に設けられ、前記投入部に投入された記録媒体を取込んで前記受取部まで搬送する搬送手段と、
この搬送手段に設けられ、搬送される記録媒体からそれに記録されている改札情報を読取る読取手段と、
前記筐体内に設けられ、少なくとも前記記録媒体の有効性を判定するための判定処理用プログラムを記憶している記憶内容が書換え可能な記憶手段と、
前記筐体内に設けられ、前記記憶手段内の判定処理用プログラムに基づき動作し、前記読取手段で読取られた改札情報に基づき前記取込んだ記録媒体の有効性を判定する判定手段と、
前記筐体内に設けられ、前記各手段に対して動作電源を供給する電源部と、
この電源部を電源供給源に対して接続するための接続手段と、
前記電源部から前記各手段への電源供給をオン，オフするためのスイッチと、
前記筐体内に設けられ、前記電源供給源から前記接続手段を介して前記電源部に電源が供給されているか否かを検出する検出手段と、
前記筐体内に設けられ、前記検出手段が電源が供給されていないことを検出すると、前記記憶手段の記憶内容を正規の状態とは異なる状態に書換える第１の制御手段と、
前記筐体内に設けられ、前記第１の制御手段による記憶手段の記憶内容の書換え時、前記第１の制御手段に対して動作電源を供給する電池と、
前記筐体内に設けられ、前記スイッチがオフされた際、前記検出手段が電源が供給されていることを検出している場合、前記第１の制御手段による記憶手段の記憶内容の書換えを禁止する第２の制御手段と、
を具備したことを特徴とする携帯可能な改札処理機。
【請求項５】
携帯可能に形成された筐体と、
この筐体に設けられ、記録媒体を投入する投入部および記録媒体を受取る受取部と、
前記筐体内に設けられ、前記投入部に投入された記録媒体を取込んで前記受取部まで搬送する搬送手段と、
この搬送手段に設けられ、搬送される記録媒体からそれに記録されている改札情報を読取る読取手段と、
前記筐体内に設けられ、少なくとも前記記録媒体の有効性を判定するための判定処理用プログラムを記憶している記憶内容が書換え可能な記憶手段と、
前記筐体内に設けられ、前記記憶手段内の判定処理用プログラムに基づき動作し、前記読取手段で読取られた改札情報に基づき前記取込んだ記録媒体の有効性を判定する判定手段と、
前記筐体内に設けられ、前記各手段に対して動作電源を供給する電源部と、
この電源部を電源供給源に対して接続するための接続手段と、
前記筐体内に設けられ、前記接続手段が前記電源供給源から切離されると、前記記憶手段の記憶内容を正規の状態とは異なる状態に書換える第１の制御手段と、
前記筐体内に設けられ、前記記憶手段の記憶内容が書換えられた後、前記接続手段が前記電源供給源に再度接続されると、正規の判定処理用プログラムを外部から受入れて前記記憶手段に書込む第２の制御手段と、
を具備したことを特徴とする携帯可能な改札処理機。
【請求項６】
改札用の通路に設けられる改札装置本体と、
この改札装置本体に設けられ、前記通路における通行者の通行を制御するドアと、
このドアを開閉駆動するドア駆動手段と、
前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、前記読取手段で読取られた改札情報に基づき前記取込んだ記録媒体の有効性を判定する判定手段と、この判定手段の判定結果を出力する出力手段とを有する携帯可能な改札処理機と、
この改札処理機の前記出力手段から出力される前記判定手段の判定結果に応じて前記ドア駆動手段を制御する制御手段と、
を具備したことを特徴とする自動改札装置。
【請求項７】
改札用の通路に設けられる改札装置本体と、
この改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、前記読取手段で読取られた改札情報に基づき前記取込んだ記録媒体の有効性を判定する判定手段とを有する携帯可能な改札処理機と、
前記改札装置本体に設けられ、前記改札処理機の前記判定手段により有効であると判定された記録媒体を集札する集札手段と、
を具備したことを特徴とする自動改札装置。
【請求項８】
改札用の通路に設けられる改札装置本体と、
この改札装置本体に設けられ、前記通路における通行者の通行を制御するドアと、
このドアを開閉駆動するドア駆動手段と、
前記通路における通行者の通行を検知する通行者検知手段と、
前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、前記改札装置本体の前記通行者検知手段から送られる検知結果を受取り、その検知結果および前記読取手段で読取られた改札情報に基づき前記取込んだ記録媒体の有効性を判定する判定手段と、この判定手段の判定結果を出力する出力手段とを有する携帯可能な改札処理機と、
この改札処理機の前記出力手段から出力される前記判定手段の判定結果に応じて前記ドア駆動手段を制御する制御手段と、
を具備したことを特徴とする自動改札装置。
【請求項９】
改札用の通路に設けられる改札装置本体と、
この改札装置本体に設けられ、前記通路における通行者の通行を制御するドアと、
このドアを開閉駆動するドア駆動手段と、
前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える第１の制御手段とを有する携帯可能な改札処理機と、
この改札処理機の前記出力手段から出力される前記判定手段の判定結果に応じて前記ドア駆動手段を制御する第２の制御手段と、
を具備したことを特徴とする自動改札装置。
【請求項１０】
改札用の通路に設けられる改札装置本体と、
この改札装置本体に設けられ、前記通路における通行者の通行を制御するドアと、
このドアを開閉駆動するドア駆動手段と、
前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える第１の制御手段と、前記筐体内に設けられ、前記第１の制御手段による記憶手段の記憶内容の書換え時、前記制御手段に対して動作電源を供給する電池とを有する携帯可能な改札処理機と、
この改札処理機の前記出力手段から出力される前記判定手段の判定結果に応じて前記ドア駆動手段を制御する第２の制御手段と、
を具備したことを特徴とする自動改札装置。
【請求項１１】
改札用の通路に設けられる改札装置本体と、
この改札装置本体に設けられ、前記通路における通行者の通行を制御するドアと、
このドアを開閉駆動するドア駆動手段と、
前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記電源部から前記各手段への電源供給をオン，オフするためのスイッチと、前記筐体内に設けられ、前記電源供給源から前記接続手段を介して前記電源部に電源が供給されているか否かを検出する検出手段と、前記筐体内に設けられ、前記検出手段が電源が供給されていないことを検出すると、前記記憶手段の記憶内容を正規の状態とは異なる状態に書換える第１の制御手段と、前記筐体内に設けられ、前記第１の制御手段による記憶手段の記憶内容の書換え時、前記第１の制御手段に対して動作電源を供給する電池と、前記筐体内に設けられ、前記スイッチがオフされた際、前記検出手段が電源が供給されていることを検出している場合、前記第１の制御手段による記憶手段の記憶内容の書換えを禁止する第２の制御手段とを有する携帯可能な改札処理機と、
この改札処理機の前記出力手段から出力される前記判定手段の判定結果に応じて前記ドア駆動手段を制御する第３の制御手段と、
を具備したことを特徴とする自動改札装置。
【請求項１２】
改札用の通路に設けられる改札装置本体と、
この改札装置本体に設けられ、前記通路における通行者の通行を制御するドアと、
このドアを開閉駆動するドア駆動手段と、
前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える第１の制御手段と、前記筐体内に設けられ、前記記憶手段の記憶内容が書換えられた後、前記接続手段が前記電源供給源に再度接続されると、正規の判定処理用プログラムを外部から受入れて前記記憶手段に書込む第２の制御手段とを有する携帯可能な改札処理機と、
この改札処理機の前記出力手段から出力される前記判定手段の判定結果に応じて前記ドア駆動手段を制御する第３の制御手段と、
を具備したことを特徴とする自動改札装置。
【手続補正２】
【補正対象書類名】明細書
【補正対象項目名】００１２
【補正方法】変更
【補正の内容】
【００１２】
また、本発明の自動改札装置は、改札用の通路に設けられる改札装置本体と、この改札装置本体に設けられ、前記通路における通行者の通行を制御するドアと、このドアを開閉駆動するドア駆動手段と、前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、前記読取手段で読取られた改札情報に基づき前記取込んだ記録媒体の有効性を判定する判定手段と、この判定手段の判定結果を出力する出力手段とを有する携帯可能な改札処理機と、この改札処理機の前記出力手段から出力される前記判定手段の判定結果に応じて前記ドア駆動手段を制御する制御手段とを具備している。


【手続補正３】
【補正対象書類名】明細書
【補正対象項目名】００１３
【補正方法】変更
【補正の内容】
【００１３】
また、本発明の自動改札装置は、改札用の通路に設けられる改札装置本体と、この改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、前記読取手段で読取られた改札情報に基づき前記取込んだ記録媒体の有効性を判定する判定手段とを有する携帯可能な改札処理機と、前記改札装置本体に設けられ、前記改札処理機の前記判定手段により有効であると判定された記録媒体を集札する集札手段とを具備している。


【手続補正４】
【補正対象書類名】明細書
【補正対象項目名】００１４
【補正方法】変更
【補正の内容】
【００１４】
また、本発明の自動改札装置は、改札用の通路に設けられる改札装置本体と、この改札装置本体に設けられ、前記通路における通行者の通行を制御するドアと、このドアを開閉駆動するドア駆動手段と、前記通路における通行者の通行を検知する通行者検知手段と、前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、前記改札装置本体の前記通行者検知手段から送られる検知結果を受取り、その検知結果および前記読取手段で読取られた改札情報に基づき前記取込んだ記録媒体の有効性を判定する判定手段と、この判定手段の判定結果を出力する出力手段とを有する携帯可能な改札処理機と、この改札処理機の前記出力手段から出力される前記判定手段の判定結果に応じて前記ドア駆動手段を制御する制御手段とを具備している。


【手続補正５】
【補正対象書類名】明細書
【補正対象項目名】００１５
【補正方法】変更
【補正の内容】
【００１５】
また、本発明の自動改札装置は、改札用の通路に設けられる改札装置本体と、この改札装置本体に設けられ、前記通路における通行者の通行を制御するドアと、このドアを開閉駆動するドア駆動手段と、前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える第１の制御手段とを有する携帯可能な改札処理機と、この改札処理機の前記出力手段から出力される前記判定手段の判定結果に応じて前記ドア駆動手段を制御する第２の制御手段とを具備している。


【手続補正６】
【補正対象書類名】明細書
【補正対象項目名】００１６
【補正方法】変更
【補正の内容】
【００１６】
また、本発明の自動改札装置は、改札用の通路に設けられる改札装置本体と、この改札装置本体に設けられ、前記通路における通行者の通行を制御するドアと、このドアを開閉駆動するドア駆動手段と、前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える第１の制御手段と、前記筐体内に設けられ、前記第１の制御手段による記憶手段の記憶内容の書換え時、前記制御手段に対して動作電源を供給する電池とを有する携帯可能な改札処理機と、この改札処理機の前記出力手段から出力される前記判定手段の判定結果に応じて前記ドア駆動手段を制御する第２の制御手段とを具備している。


【手続補正７】
【補正対象書類名】明細書
【補正対象項目名】００１７
【補正方法】変更
【補正の内容】
【００１７】
また、本発明の自動改札装置は、改札用の通路に設けられる改札装置本体と、この改札装置本体に設けられ、前記通路における通行者の通行を制御するドアと、このドアを開閉駆動するドア駆動手段と、前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記電源部から前記各手段への電源供給をオン，オフするためのスイッチと、前記筐体内に設けられ、前記電源供給源から前記接続手段を介して前記電源部に電源が供給されているか否かを検出する検出手段と、前記筐体内に設けられ、前記検出手段が電源が供給されていないことを検出すると、前記記憶手段の記憶内容を正規の状態とは異なる状態に書換える第１の制御手段と、前記筐体内に設けられ、前記第１の制御手段による記憶手段の記憶内容の書換え時、前記第１の制御手段に対して動作電源を供給する電池と、前記筐体内に設けられ、前記スイッチがオフされた際、前記検出手段が電源が供給されていることを検出している場合、前記第１の制御手段による記憶手段の記憶内容の書換えを禁止する第２の制御手段とを有する携帯可能な改札処理機と、この改札処理機の前記出力手段から出力される前記判定手段の判定結果に応じて前記ドア駆動手段を制御する第３の制御手段とを具備している。


【手続補正８】
【補正対象書類名】明細書
【補正対象項目名】００１８
【補正方法】変更
【補正の内容】
【００１８】
さらに、本発明の自動改札装置は、改札用の通路に設けられる改札装置本体と、この改札装置本体に設けられ、前記通路における通行者の通行を制御するドアと、このドアを開閉駆動するドア駆動手段と、前記改札装置本体に対して着脱自在に設けられ、携帯可能に形成された筐体と、この筐体に設けられ、前記通路に進入する通行者が記録媒体を投入する投入部および前記通路を退出する通行者が記録媒体を受取る受取部と、前記筐体内に設けられ、前記投入部に投入された記録媒体を取込んで前記受取部まで搬送する搬送手段と、この搬送手段に設けられ、搬送される記録媒体からそれに記録されている改札情報を読取る読取手段と、前記筐体内に設けられ、少なくとも前記記録媒体の有効性を判定するための判定処理用プログラムを記憶している記憶内容が書換え可能な記憶手段と、前記筐体内に設けられ、前記記憶手段内の判定処理用プログラムに基づき動作し、前記読取手段で読取られた改札情報に基づき前記取込んだ記録媒体の有効性を判定する判定手段と、この判定手段の判定結果を出力する出力手段と、前記筐体内に設けられ、前記各手段に対して動作電源を供給する電源部と、この電源部を電源供給源に対して接続するための接続手段と、前記筐体内に設けられ、前記接続手段が前記電源供給源から切離されると、前記記憶手段の記憶内容を正規の状態とは異なる状態に書換える第１の制御手段と、前記筐体内に設けられ、前記記憶手段の記憶内容が書換えられた後、前記接続手段が前記電源供給源に再度接続されると、正規の判定処理用プログラムを外部から受入れて前記記憶手段に書込む第２の制御手段とを有する携帯可能な改札処理機と、この改札処理機の前記出力手段から出力される前記判定手段の判定結果に応じて前記ドア駆動手段を制御する第３の制御手段とを具備している。